(57)【特許請求の範囲】
【請求項１】
下肢義足（２）に装着可能なハウジング（１４）と、
該ハウジング内に自在設置され且つアダプターハウジングの調節手段（２２）により調節出来る球状アダプターヘッド（８）と、
該アダプターヘッド（８）に対し横に移動させることが出来る義足カラー取り付け部材（４）とを含み、
前記義足カラー取り付け部材（４）は、義足カラー（５）に装着可能であり、且つコネクター（２８）を介して前記アダプターハウジング（１４）に取り付け可能であり、
前記アダプターヘッド（８）の球状部分（１２）は、設置位置において前記アダプターハウジング（１４）と一体化され、
前記アダプターハウジング（１４）は、前記義足カラー取り付け部材（４）に対する前記アダプターヘッド（８）の調節と取り付けとは関係なく前記調節手段（２２）により異なる位置に固定可能な互いに可動な二つの部分よりなるユニットを形成し、
前記アダプターヘッド（８）内には縦長の貫通溝（２７）が配設され、該溝に前記コネクター（２８）が延伸しており、
前記アダプターヘッド（８）と前記義足カラー取り付け部材（４）との間を横移動を可能にしており、
前記アダプターヘッドに対し前記アダプターハウジング（１４）を個別に調節可能である下肢義足用の調節可能なアダプターにおいて、
前記コネクター（２８）は、傾斜接触面を有する円錐形状の穴（３２）を有し、かつ前記義足カラー取り付け部材（４）内を半径方向に移動自在な操縦部材（３３）と協働するように配設されており、
前記操縦部材は、１方向に移動する時にコネクター（２８）を上昇させ、逆方向に移動する時に前記コネクター（２８）を下降させて、前記アダプターヘッド（８）に対して前記義足カラー取り付け部材（４）の横移動を可能とするために、前記アダプターヘッド（８）を前記義足カラー取り付け部材（４）に対してロックまたは開放できるように配設されていることを特徴とする下肢義足用の調節可能なアダプター。
【請求項２】
前記コネクター（２８）がスクリュー（２９）とナット（３０）であり、前記傾斜接触面を有する円錐形状の穴（３２）がコネクター（２８）のヘッド（３１）内に配置されることを特徴とする請求項１に記載のアダプター。
【発明の詳細な説明】
この発明は、下肢義足用の調節可能なアダプターに関し、詳しくは、下肢義足に装着可能なハウジングと、ハウジング内に可動に設置しアダプタハウジングの調節手段によって調節出来る球状アダプタヘッドとアダプタヘッドに対し横に移動させることが出来る義足カラーより成る下肢義肢足用の調節可能なアダプターに関する。尚、アダプタヘッドは義足カラーに装着可能でありコネクターを介してアダプターハウジングに取り付け可能であり、アダプタヘッドの球状部分は設置位置においてアダプターハウジングと一体化され、アダプタハウジングは、義足カラーの取り付け部材に個別に取り付けて調節することが出来、調節手段により異なる位置に固定可能な互いに可動な２つの部分より成るユニットを形成しており、アダプターヘッドは内には縦長の貫通溝が配設され、この溝に前記コネクターが延伸しており、アダプターヘッドと義足カラー取り付け手段との間を横移動可能にしており、アダプタヘッドに対しアダプターハウジングを個別に調節出来る。
膝、下肢または足用義足（Prosthesis）は、通常、義足カラー（collar）を使用する着用者の骨に固定される。義足を希望の角度に調節可能にし、かつ、義足カラーに対して横方向に調節可能にするためのアダプタが、先に提案されている。
ＳＥ-Ｂ-8602143-3は、義足の下方のカラーに取り付けるための義足カラー取り付け部材を含むようなアダプターを備えた下肢義足を記述している。義足カラーに対面する側において、義足カラー取り付け部材が、スクリューシャフトの周りに小さな半球を含むアダプター部材に螺合されており、その半球は、その反対側端部において、下肢義足に取り付けられるアダプターハウジング内の対応する球形の内側表面に対して回転可能に作られている。その半球からある距離をおいて、同心円状に取り付けられた円盤が設けられ、それに対して義足カラーが接合している。さらに、中心軸に対してある角度のねじ付貫通穴が備えられたアダプターハウジング上に外部ボスが設けられ、止めネジの前端が半球に取り付けられた円盤を押圧し、それによってアダプターハウジングをアダプターハウジングに対し異なる角度位置に押すように止めネジが下から螺合されている。義足カラー取り付け部材は、止めネジよりも十分に大きな貫通穴を有しており、それにより、座金を使用して、義足カラー取り付け部材をアダプターハウジングに対して異なった横の調節可能な位置に取り付けることができる。この設計を使用することにより、義足を外すことなく、異なった角度位置にすることができるが、球の半径が小さいことにより、角度変化は比較的限定される。同時に、横の調節は達成されるが、これを除き、義足カラーを有する義足全体が、側調節ネジに到達するためには取り外されることが必要で、そのすべてが、適合（fitting）をより困難にしている。
同様なアダプターの他のタイプは、デザインが大きく、不格好に分割された２つの調節機能部を有している。
本発明の目的は、上記の不都合を本質的に除去し、特許請求の範囲の特徴部分に記載された特徴をアダプターに付与することによって達成される下肢義足用の調節可能なアダプターを提供することである。
下記において、添付した図面に概要的に示された例示を参照して、本発明をより詳細に記述する。
図１は、側面からの模式的断面図により、本発明によるアダプターを含む下肢義足の実施例を示している。
図２は、図１のアダプターの側面図である。
図３は、図２のアダプターの側面からの分解図である。
図４は、アダプターの最も重要な部分を断面図により示した図３に対応する分解図である。
図５は、上から見た本発明のアダプターを含むアダプターヘッドを示している。
図６ａ〜ｇは、断面で見た側面図により、本発明によるアダプターの調節部材を示している。
図７は、固定位置における本発明によるアダプターの変更実施態様の断面を示す。
図８は、図７のアダプターを９０度回転させた開放位置におけるアダプターを示している。
図１において、隣接する長い脚のような部材、好ましくは、アルミニウムやその他軽くて強い材料で適切に作られた筒２を備えた義足１が模式的に示されている。義足から離れて面している端部において、脚のような要素２が、本発明によるアダプター３に取り付けられており、脚のような要素の取り付け端部に対して調節可能な義足カラー取り付け部材４を用いて義足カラー５に取り付けられている。
図２〜４は、各々、分解図で側面から、および、断面の分解図で、大きなスケールで、図１のアダプターを示している。先に述べた義足カラー取り付け部材４は、アダプター３に包含されているということが図面から明らかであり、図示されたデザインのその部材は、義足カラーへの部材４の取り付けを容易にする外部溝６を有する円形のディスクからなっている。図示されたデザインにおいて、そのディスクは、中央ネジ穴７を有している（図１と図４を参照）。直ぐ後で説明する理由により、義足カラー取り付け部材４または中央穴７は、長円形の穴（図示せず）を含むことができる。アダプター３には、義足カラー取り付け部材４に対面し、それを押圧する円形リング状の端面９を有するカラーからなるアダプターヘッド８が含まれている。端面９に、中央線１１から実質的に球状の同心形状１２に変形する円錐部１０が設けられている。アダプターの球状部１２は、アダプターヘッドの対向端面９におおむね平行である円形リング形状面１３で終わっている。さらに、筒状構成物に取り付けられるようにデザインされた筒状部１５を含むアダプターハウジング１４が設けられ、その目的のため、その下側にスリット１６（例えば、図１を参照）を有し、他方、スリット１６のどちらの側の部材も、コネクタ１８、例えば、ボルトのための取り付け部材１７を有しており、筒状部の端部は、そのスリットにより、いくぶん弾力があり、スリーブ状の構成物２の上端部に固定可能である。アダプターハウジング１４の筒状部１５のスリット部から離れて対面している端部において、筒状構成物は、筒状部１５と同心で、後者よりも大きな直径のボール状スリーブ１９に接合している。
スリーブ１９と筒状部は、アダプターハウジングの中心軸に、実質的に垂直に取り付けられたリング状コネクタ２０において、お互いに接合している。そのコネクタを貫通して、止めネジ２２等を止めるようにデザインされた、ある数の、好ましくは４つの角度付ネジ穴２１が、等距離に広がっている。筒状部１５から離れたカラー１９の端部において、そのカラーは、好ましくは楕円体形１２の形に補完する形の穴２５を有するロック座金のための輪状の溝（encircling groove）を有し、対称的に組立てられた時に楕円面１２の中央にある接触線により、すなわち、組立てられた時に、より小さな開口がカラー部から軸方向外方に向いた状態で、下方向において楕円体部１２の増大する直径により、ロック座金２４の取付部及びスリーブ１９内への挿入後には、アダプターヘッドは、スリーブから取り出すことができないが、止めネジを用いて希望の角度に固定することができる。固定座金２４は、好ましくは溝２３への挿入を容易にするスリット（図示せず）が備えられている。
スリーブ１９の開口の内径は、アダプターヘッドの楕円体部１２の端面１３の外径よりいくぶん大きく、そのスリーブ内に差し込まれ、そして、そのリング状の端面において、例えば、図１に示されているように、アダプターヘッドの中央部１１がスリーブ１９の上にある状態において、アダプターハウジング１４の止めネジ２２を押圧しているため、ロック座金２４の中にアダプターヘッド８を挿入した後、アダプターハウジング２４の溝２３内にロック座金２４を挿入することによって、アダプターヘッドがスリーブ１９から外れるのを防ぎ、一方、同時に、楕円部１２により、アダプターヘッドが、アダプターハウジングの縦軸に対してある角度でセットすることができる。ロック座金２４の角度付穴２５は、このようにして、また、楕円部１２と穴２５の端部との間での引っ掻くような接触なしに、スムーズで摩擦のない角度に位置させることに寄与している。
図４において、アダプターヘッドが上面図で示されている図５から明らかであるように、おおむね、外部中央部１１のレベルにおいて、内部仕切２６の中央で対称的に配置された貫通長円穴２７を有する内部仕切を有しているということが、アダプターヘッド８の断面図から明らかである。
義足カラー取り付け部材４とアダプターヘッド８の間の内部連結のため、そのねじ付軸を義足カラー取り付け部材４のネジ穴７に螺合させた状態で、アダプターヘッド内の長円穴２７を貫通するボルトの形態で示されるコネクタ２８が用いられる。コネクタ２８は、長円穴２７を通ることができない部分を有するので、すなわち、この場合、ボルトの頭部が穴２７の幅より大きな直径であるので、コネクタは、その頭部が穴２７を貫通することなく取り付けることができる。その穴は楕円なので、穴の長さに沿った調節を可能にしつつ、穴の長さに沿った異なった位置において、コネクタ２８を取り付けることが、まだ可能である。義足カラー取り付け部材に、中央穴７の代わりにスライド溝（図示せず）を使用した長円穴を有する義足カラー取り付け部材の代替のデザインにより、義足カラー取り付け部材４の穴の長さに沿って自動ロックされるコネクタ２８として、ナットを用いることが可能である。したがって、義足アダプターの調節可能性の範囲がさらに増大する。
図６ａ〜ｇにおいて、義足カラー取り付け部材４とアダプターヘッド８、および、アダプター８とアダプターハウジング１４の異なった調節位置において、本発明のアダプター３が、断面図で示されている。このように、調節位置の多くの変形は、アダプターハウジングのスリーブ内のアダプターヘッドの大きな楕円部により、低くて、特にコンパクトなデザインにすることが可能なアダプターがさらに実現することを可能にする。
したがって、図６ａは、アダプターヘッド８の中心線が、アダプターハウジング１４の中心線の直接の延長を形成するように、すなわち、中心線の角度ずれが生じないように、どのようにしてアダプターヘッド８が調節されるかを示している。他方、義足カラー取り付け部材４の軸が、アダプターヘッド８の中心線、したがって、アダプターハウジングの中心軸に対して平行に移動されている。これは、その図において、アダプターヘッドの長円穴２７の左の一番遠くの位置にコネクタ２８を移すことによって達成された。
また、図６ｂと６ｃにおいて、アダプターヘッド８とアダプターハウジングが、それらの間で角度をもたずに配列されているが、図６ｂの義足カラーアタッチメント部材４は、その他の最大に変移された端部に置かれており、図６ｃにおいて、義足カラー取り付け部材４の中心線が、平行だけではなく、アダプターハウジング１４とアダプターヘッド８の中心線とが一致するように、コネクタ２８が穴２７の中心に置かれている。
図６ｄと６ｅにおいては、義足カラー取り付け部材４とアダプターヘッド８が、いかにして図６ｃに示されているような、同じ相対位置関係にあるかを示している。しかし、両方の場合において、アダプターヘッド８は、アダプターハウジング１４に対して、その座部で回転し、それらの各々の中心線は、ある角度を形成している。図６ｄにおいて、後側ネジを対応する程度にねじ込む一方、前側止めネジ２２ａはその孔２１からほとんど完全にねじを外すことにより、この関連のある角度調節は、達成された。したがって、図中の後側ネジ２２ｂが、アダプターヘッド８の右部分を持ち上げている。アダプターヘッド８は、アダプターハウジングのスリーブ部分の内側に位置する楕円外形面により、スリーブ内で傾き、アダプターハウジングの中心軸に対して左に最大の角度をなす自身の中心軸および義足カラー取り付け部材の中心軸に対して、図の左に、ある角度をもって置かれている。
図６ｅにおいて、その状態は反対、すなわち、後側止めネジ２２ｂがねじ戻されている一方、前側止めネジ２２ａは、最大にねじ込まれている。アダプターヘッド８の中心軸に対して、義足カラー取り付け部材４とアダプターヘッド８との一致する中心軸の角度は、図６ｄの場合と同じぐらい大きいが、この場合、義足カラー取り付け部材４とアダプターヘッド８の中心線は、アダプターハウジングの中心線に対して右に角度をなしている。図６ｆと６ｇにおいて、２つの位置が、最終的に示されており、その位置においてアダプターハウジング１４とアダプターヘッド８が、図６ｄおよび６ｅと同じように、お互いに対して角度をなしており、その場合角度調節は、２つの先に記述した場合と同じようになされている。加えて、２つの図面６ｆと６ｇにおける義足カラー取り付け部材４とアダプターヘッド８の中心軸が、各々、図６ａと６ｂに示されたように、および、同じ手段により、お互いに対して平行に移動されている。
簡略化のため、図６ｄから６ｇにおいては、アダプターヘッド８とアダプターハウジング１４が、お互いに対してどのよう角度をなしているか、紙面に平行な面においてのみ示されており、この平面において前および後側止めネジ２２ａおよび２２ｂだけが、各々、その中立位置からねじ込まれ、あるいは、ねじ戻されている。アダプターハウジング１４は、また、より等距離の、好ましくは４つの調節ネジ２２を持ち得るので、角度調節は、紙面に対して垂直な面、および／または、平面の組み合せにおいて、達成されるということが推定される。すなわち、アダプターハウジングとアダプターヘッド、および、それにより、下肢チューブと義足カラー取り付け部材４の間の角度が、すべての角度位置に対して希望どおりに調節し得、一方同時に、下肢チューブ２と義足カラー取り付け部材４の横移動が得られる。アダプターヘッド８は、アダプターハウジング１４に対して固定された位置を有していないので、義足カラー取り付け部材４とアダプターヘッド８の中心軸の平行移動が、アダプターハウジングの中心軸に直角な任意の所望の方向において達成できるように、アダプターヘッドは、アダプターハウジング１４に対して回転可能である。
記述したように、アダプターハウジングに対する位置で固定され、そして、組込まれた横移動機能構造を有するようにデザインした大きな楕円アダプターハウジングを使用するので、極めてコンパクトで、それゆえ、スペースを節約したデザインと、外部から適用される膝／下肢／足用義足に対し全体の調節可能性が達成される。
前述のアダプターの横移動機能は、アダプターハウジング１４の内部から、上記のネジを締めることにより防止出来る。これは、調節時には下肢義足２を取り外さなければならないことを意味する。図７と８に示す実施例の場合、下肢義足を外すことなく上記の調節が出来る。このために、コネクター２８、即ちネジは円筒状ヘッド３１を有しており、カラー取り付け手段４に設けられた穴３４を軸方向に移動出来る。このネジヘッド３１には半径方向の円錐形状の穴（凹み）３２が設けられており、ネジの軸に関し傾斜した接触面を形成している。義足カラー取り付け手段４には、ストップスクリューの形状をした操縦（運動）部材３３が配設されており、その内側端は円錐端３５に設計されている。これは、円錐形状の穴と協働し、ストップスクリューがネジ穴３６から若干緩められた時に、コネクター２８が軸方向に移動できるようにするので、アダプターハウジング１４が図８に見られるように、義足カラー取り付け手段に対して横方向に動けるようにする。これらの部品を相互に調節後、ストップスクリュー３３をコネクター２８の円錐形状の穴３２にねじ込むことが出来、図７に見られるように、円錐端３５は穴３２の傾斜接触面と協働し、ナット３０が隔壁２６と接触するまでスクリューを持ち上げる。
本発明は、示されて記述した例示に限定されず、代わりに、下記の特許請求の範囲の機構範囲内での変更が可能である。
【図１】
0003946266.tif 000002
【図２】
0003946266.tif 000003
【図３】
0003946266.tif 000004
【図４】
0003946266.tif 000005
【図５】
0003946266.tif 000006
【図６ａ】
0003946266.tif 000007
【図６ｂ】
0003946266.tif 000008
【図６ｃ】
0003946266.tif 000009
【図６ｄ】
0003946266.tif 000010
【図６ｅ】
0003946266.tif 000011
【図６ｆ】
0003946266.tif 000012
【図６ｇ】
0003946266.tif 000013
【図７】
0003946266.tif 000014
【図８】
0003946266.tif 000015